(57)【要約】【課題】意匠性や装飾性を向上できる遊技機を提供する。【解決手段】電飾装置３２の前面には化粧パネル３６が設けられている。電飾装置３２は、ベース部材３４を介してフレーム３８の前面側に取り付けられる。ベース部材３４は、角筒状に形成されたベース本体４０を備え、前端に電飾装置３２が装着される。ベース本体４０の下面、すなわち、角筒状に形成されたベース本体４０の４つの壁のうち、遊技機本体の中心側に位置する内壁５０は、先端の方が後端よりも下方、すなわち、遊技機本体の中心側に位置するように傾斜されている。これにより、ベース本体４０の先端部の上下方向の長さを長くすることができ、化粧パネル３６の上下方向のサイズを拡大でき、意匠性や装飾性を向上できる。【選択図】図４
2017225568.tif 000002
【特許請求の範囲】
【請求項１】
筒状に形成され、遊技機本体の前面に配置されるベース部材と、
前記ベース部材の前端部に取り付けられる化粧パネルと、を備え、
前記ベース部材は、前記遊技機本体の中心側に位置する内壁、及び、前記内壁よりも遊技機本体の外側に位置する外壁を備え、
前記内壁は、後端部よりも前端部の方が前記遊技機本体の中心側に位置するように傾斜されていることを特徴とする遊技機。
【請求項２】
前記ベース部材は、前記内壁を含む中心側部材と、前記外壁を含む外側部材とが組み合わされて一体化されることにより形成されていることを特徴とする請求項１記載の遊技機。
【請求項３】
前記ベース部材の前端の開口部には、ホルダが取り付けられ、
前記化粧パネルは、前記ホルダの先端に配置され、前記ホルダを介して前記ベース部材に取り付けられ、
前記ホルダは、前記遊技機本体の中心側に位置するホルダ内壁、及び、前記ホルダ内壁よりも外側に位置するホルダ外壁を備え、
前記ホルダ内壁は、後端部よりも前端部の方が前記遊技機本体の中心側に位置するように傾斜されていることを特徴とする請求項１または２記載の遊技機。
【発明の詳細な説明】
【技術分野】
【０００１】
本発明は、パチンコ店などの遊技場に設置されるスロットマシンなどの遊技機に関するものである。
【背景技術】
【０００２】
パチンコ店などの遊技場に設置される遊技機としてスロットマシンが広く知られている。スロットマシンは、前面中央部に配置されたリールや液晶ディスプレイなどを囲むように装飾部材が設けられている（下記特許文献１参照）。装飾部材は、例えば、遊技機本体の前面側に突出するように形成されたベース部材と、機種名などが記載され、ベース部材の先端部に取り付けられる化粧パネルなどから構成される。
【先行技術文献】
【特許文献】
【０００３】
【特許文献１】特開２０１４−２３９８９８
【発明の概要】
【発明が解決しようとする課題】
【０００４】
しかしながら、従来の装飾部材は、後端部から前端部ヘ向けて先細りの形状に形成されているため、前端部の面積を大きくできず（化粧パネルを大型化できず）、意匠性や装飾性に乏しいといった問題があった。
【０００５】
本発明は、上記背景を鑑みてなされたものであり、後端部の面積よりも前端部の面積を大きくし（化粧パネルを大型化し）、意匠性や装飾性を向上できる遊技機を提供することを目的としている。
【課題を解決するための手段】
【０００６】
上記目的を達成するために、本発明の遊技機は、筒状に形成され、遊技機本体の前面に配置されるベース部材と、前記ベース部材の前端部に取り付けられる化粧パネルと、を備え、前記ベース部材は、前記遊技機本体の中心側に位置する内壁、及び、前記内壁よりも遊技機本体の外側に位置する外壁を備え、前記内壁は、後端部よりも前端部の方が前記遊技機本体の中心側に位置するように傾斜されていることを特徴としている。
【０００７】
前記ベース部材は、前記内壁を含む中心側部材と、前記外壁を含む外側部材とが組み合わされて一体化されることにより形成されているものでもよい。
【０００８】
前記ベース部材の前端の開口部には、ホルダが取り付けられ、前記化粧パネルは、前記ホルダの先端に配置され、前記ホルダを介して前記ベース部材に取り付けられ、前記ホルダは、前記遊技機本体の中心側に位置するホルダ内壁、及び、前記ホルダ内壁よりも外側に位置するホルダ外壁を備え、前記ホルダ内壁は、後端部よりも前端部の方が前記遊技機本体の中心側に位置するように傾斜されているものでもよい。
【０００９】
前記外壁の後端部よりも前記外壁の前端部の方が前記中心側とは反対側に位置するように、前記外壁を傾斜させてもよい。
【００１０】
また、前記ホルダ外壁の後端部よりも前記ホルダ外壁の前端部の方が前記中心側とは反対側に位置するように、前記ホルダ外壁を傾斜させてもよい。
【発明の効果】
【００１１】
本発明では、後端部から前端部ヘ向けて先太りの形状にベース部材を形成し、このベース部材の前端に化粧パネルを配置したので、化粧パネルを大型化して意匠性や装飾性を向上できる。
【図面の簡単な説明】
【００１２】
【図１】スロットマシンの外観図である。
【図２】電飾ユニットの斜視図である。
【図３】電飾ユニットの分解図である。
【図４】電飾ユニットの断面図である。
【図５】ベース部材の分解図である。
【図６】電飾ユニットの断面図である。
【発明を実施するための形態】
【００１３】
図１に示すように、スロットマシン（遊技機）１０は、収納箱１１と、前面扉１２とを備え、これらから遊技機本体が構成されている。収納箱１１には、複数のリールがユニット化されたリールユニットや、メダルの払い出しを行うホッパ装置などが収納されている。前面扉１２は、上扉１２ａと下扉１２ｂとに分割されており、これら上扉１２ａ及び下扉１２ｂはそれぞれ収納箱１１に軸着され、開閉自在に支持されている。
【００１４】
上扉１２ａには、その前面に、各種画像を表示する液晶ディスプレイ１５、及び、リールを視認させるための透明窓１６が設けられている。リールの外周面には複数種類の図柄が配列されており、リールが停止した状態では、透明窓１６を通して１つのリールにつき３個の図柄が表示される。
【００１５】
下扉１２ｂには、メダルを投入するメダル投入口２２、クレジットされたメダルをベットする際に操作されるベットボタン２３、遊技を開始する際に操作されるスタートレバー２４、回転しているリールを停止させるためのストップボタン２６ａ〜２６ｃ、ホッパ装置から払い出されたメダルを受けるメダル受け皿２８、クレジットされたメダルを清算するための清算ボタン２９が設けられている。
【００１６】
スロットマシン１０では、メダル投入口２２にメダルを投入、または、ベットボタン２３操作することによりメダルがベットされるとスタートレバー２４が有効化され、有効化されたスタートレバー２４を操作すると遊技が開始される。遊技が開始されると、当選役抽選が実行されて複数種類の当選役のいずれかまたはハズレが決定されるとともにリールが回転を開始する。リールの回転速度が一定速度に到達して定常回転となるとストップボタン２６ａ〜２６ｃの操作が有効化され、有効化されたストップボタン２６ａ〜２６ｃを操作すると操作されたストップボタンに対応するリールを停止させることができる。そして、全てのリールが停止したときに、当選役抽選で決定された当選役に対応する図柄組合せが表示されると、この当選役が入賞となり、入賞した当選役に対応する処理（入賞処理）が実行される。
【００１７】
また、スロットマシン１０には、上扉１２ａに電飾ユニット３０が設けられている。電飾ユニット３０は、電飾装置３２と、電飾装置３２を取り付ける際の土台として機能するベース部材３４とがユニット化されたものである。電飾ユニット３０は、遊技機本体の前面から前方へ向けて突出するように形成されており、スロットマシン１０を装飾する装飾装置としての機能を有する。なお、本実施形態では、電飾ユニット３０が左右に長く形成されており、上扉１２ａの前面上端部に配置される例で説明を行う。
【００１８】
図２に示すように、電飾装置３２の前面には、化粧パネル３６が配置されている。化粧パネル３６は、例えば、スロットマシン１０の機種名やスロットマシン１０を象徴するキャラクタなどがプリントされたプリントシートやプリントシートの前面に配置される透明板などからなり、意匠性や装飾性を向上させ、スロットマシン１０を遊技者にアピールする機能を有する。なお、本実施形態では、より強力なアピールを行うために、電飾装置３２の内部に設けられた光源により、化粧パネル３６を背後から照明している。
【００１９】
図３に示すように、電飾装置３２は、ベース部材３４を介してフレーム３８に取り付けられている。フレーム３８は、上扉１２ａの枠部（上枠）としての機能を有する部材であり（図１参照）、ベース部材３４は、フレーム３８の前面側に取り付けられている。ベース部材３４は、角筒状に形成されたベース本体４０を備え、このベース本体４０の前端に電飾装置３２が装着される（図４参照）。また、ベース部材３４は、ベース本体４０の両側部に、拡張部４２が延設されている。拡張部４２は、ランプ４４が取り付けられる取り付け部として機能する他、フレーム３８の両側部に設けられたスピーカ４６のカバーとしても機能する（図６参照）。
【００２０】
このように、ベース本体４０の前端に電飾装置３２が取り付けられ、電飾装置３２の前面に化粧パネル３６が設けられているので、ベース本体４０の前端部が大型であるほど化粧パネル３６を大型化でき、遊技者に対してより強力にスロットマシン１０をアピールできる。このため、スロットマシン１０では、ベース本体４０の形状に工夫を施している。
【００２１】
具体的には、図４に示すように、ベース本体４０の下面（角筒状に形成されたベース本体４０の４つの壁のうち、遊技機本体の中心側に位置する壁であり、以下、内壁５０と称する）を、先端の方が後端よりも下方（遊技機本体の中心側）に位置するように傾斜させ、ベース本体４０を先太りのテーパー形状に形成している。こうすることで、ベース本体４０の先端部の上下方向の長さを長くすることができ、化粧パネル３６の上下方向のサイズを拡大できる。
【００２２】
また、図５に示すように、スロットマシン１０では、前述のような先太り形状のベース本体４０を有するベース部材３４の製造を容易とするために、ベース部材３４を上ベース３４ａ（内壁５０よりも外側に位置する外壁（ベース本体４０の上面）を含む外側部材）と下ベース３４ｂ（内壁５０を含む中心側部材）とからなる２分割式とし、これら上ベース３４ａと下ベース３４ｂとを例えばネジ止めするなどして一体化させている。
【００２３】
つまり、ベース部材３４は、ベース本体４０については前述のように化粧パネル３６を大型化するといった観点から先太り形状に形成されるが（図４参照）、図６に示すように、ランプ４４の取り付け部やスピーカ４６のカバーとして機能する拡張部４２については、ランプ４４の視認性を高めたり、スピーカ４６からの音声をより確実に遊技者に届けるなどの観点から、先端部へ向かうほど上下方向の幅が狭まる先細り形状に形成されている。
【００２４】
また、ベース部材３４は、一般に、前側と後側との２つで一対の金型の間に形成された隙間部分に樹脂を流し込み、樹脂の硬化後に金型を取り外す、いわゆる、射出成形により形成される。
そして、ベース本体４０のように、先太りの部位では、前側の金型がベース本体４０の内側かつベース本体４０の後端まで延び、前側の金型によりベース本体４０の内周部分が形成され、反対に、後側の金型がベース本体４０の外側かつベース本体４０の前端まで延び、後側の金型によりベース本体４０の外周部分が形成される。
一方、拡張部４２のように、先細りの部位では、後側の金型が拡張部４２の内側かつ拡張部４２の前端まで延び、後側の金型により拡張部４２の内周部分が形成され、反対に、前側の金型が拡張部４２の外側かつ拡張部４２の後端まで延び、前側の金型により拡張部４２の外周部分が形成される。
このように、先太りの部位と先細りの部位とでは前後の金型により形成する部分が異なる（先太りの部位は、前側の金型で内周部分、後側の金型で外周部分を形成するのに対して、先細りの部位は、前側の金型で外周部分、後側の金型で外周部分を形成する）。このため、ベース部材３４を射出成形で形成する場合（上ベース３４ａと下ベース３４ｂとが一体化された状態（形状）のベース部材３４を射出成形で形成する場合）、前後１組の金型では形成できず、前後の金型をそれぞれベース本体４０と拡張部４２との境界で分割した３組の金型（ベース本体４０の部分を形成するための１組の金型と両側部の２つの拡張部を形成するための２組の金型との合計３組の金型）を用いる必要がある。
【００２５】
しかしながら、金型の数が増加するとコストがかかってしまうといった問題がある。また、金型の分割部分、すなわち、ベース本体４０と拡張部４２との境界に、スジ状のバリが発生してしまい、美観上好ましくないといった問題がある。特に、内壁５０を含むベース部材３４の下面（遊技機本体の中心側に位置する面）は、遊技者から視認される位置となるため、バリの発生は好ましくない。
【００２６】
このため、スロットマシン１０では、ベース部材３４を上ベース３４ａと下ベース３４ｂとの２分割式としている。こうすることで、上ベース３４ａ及び下ベース３４ｂを、それぞれ上側と下側との１組の金型、合計２組の金型で形成できる。また、ベース部材３４の下面、すなわち、下ベース３４ｂの下面については、全ての部分を、分割されていない１つの金型により形成できる。このため、ベース部材３４（下ベース３４ｂ）の下面にバリが発生してしまうといったこともない。
【００２７】
上述のように、スロットマシン１０では、ベース本体４０を先太り形状とすることにより化粧パネル３６を大型化し、また、ベース部材３４を２分割式とすることで、製造に必要な金型の個数を抑え、かつ、ベース部材３４の下面のバリも防止しているが、本実施形態では、さらなる化粧パネル３６の大型化のために、電飾装置３２にも工夫を施している。
【００２８】
具体的には、図４に示すように、電飾装置３２の下面（電飾部材の側面（側壁）のうち、遊技機本体の中心側に位置する面（壁））についても、ベース本体４０と同様に、先端の方が後端よりも下方（遊技機本体の中心側）に位置するように傾斜させている。こうすることで、化粧パネル３６をより大型化できる。
【００２９】
なお、図４に示すように、本実施形態では、電飾装置３２の外殻を、前カバー３２ａと後カバー（ホルダ）３２ｂとからなる箱型に形成している。前カバー３２ａの前面には開口が設けられ、この開口から化粧パネル３６が露呈されている。前カバー３２ａと後カバー３２ｂとは、前カバー３２ａの後端に、後カバー３２ｂの前端を当接させた状態で一体化されている。そして、本実施形態では、後カバー３２ｂの下面（遊技機本体の中心側に位置する面（ホルダ内壁））を傾斜させることにより、化粧パネル３６の大型化を可能としている。
【００３０】
以上のように、スロットマシン１０では、ベース部材３４（ベース本体４０）や電飾装置３２（後カバー３２ｂ）のうち遊技機本体の中心側に位置する壁を遊技機本体の内側ヘ向けて傾斜させることにより、化粧パネル３６を大型化して意匠性や装飾性を向上させて、スロットマシン１０をより強力にアピールできる。また、ベース部材３４を２分割式としたことで、製造に必要な金型の個数を抑え、かつ、ベース部材３４の下面のバリも防止できる。
【００３１】
なお、本発明は上記実施形態に限定されず、細部の構成については適宜変更できる。例えば、上記実施形態では、化粧パネルの背面側に光源を設けて、化粧パネルを背面側から照明する例で説明をしたが、光源を廃止して化粧パネルを照明しないようにしてもよい。また、化粧パネルを前面側から照明してもよい。さらに、化粧パネルの態様は自由に設定できるので、上記実施形態で説明したプリントシートに代えてエンブレムなどの立体造形物を化粧パネルとして用いてもよい。
【００３２】
また、上記実施形態では、ベース部材に拡張部を設け、拡張部にランプやスピーカを配置する例で説明をしたが、拡張部を廃止し、ベース部材に化粧パネルのみを単体で配置してもよい。
【００３３】
また、上記実施形態では、ベース部材（ベース本体）の下面（内壁）を傾斜させる例で説明をしたが、ベース部材（ベース本体）の上面（内壁よりも遊技機本体の外側に位置する外壁）を傾斜させてもよい。この場合、後端部よりも前端部の方が遊技機本体の外側に位置するように、外壁を外側に傾斜させればよい。こうすることで、化粧パネルをより大型化できる。
【００３４】
また、上記実施形態では、電飾装置の後カバーの下面（ホルダ内壁）を傾斜させる例で説明をしたが、後カバーの上面（ホルダ外壁）を外側に傾斜させてもよい。また、後カバーだけでなく、前カバーの下面や上面を傾斜させてもよい。さらに、後カバーや前カバーについては下面や上面を傾斜させず、ベース部材についてのみ下面または上面を傾斜させてもよい。
【００３５】
また、上記実施形態では、電飾装置（前カバーと後カバー）を介してベース部材に化粧パネルを取り付ける例で説明をしたが、化粧パネルをベース部材に直接取り付けるようにしてもよい。
【００３６】
また、上記実施形態では、化粧パネルやベース部材を遊技機本体の上端部に配置する例で説明をしたが、化粧パネルやベース部材は、遊技機本体の前面の任意の位置に配置できる。もちろん、化粧パネルやベース部材を下扉に配置してもよい。
【００３７】
また、上記実施形態では、後端部から先端部のいずれの位置においても内壁（または外壁）の傾きが一定である例、すなわち、前後方向の断面が直線となる内壁（または外壁）を傾ける例（内壁や外壁が平面であり、この平面を傾ける例）で説明をしたが、本発明はこれに限定されない。本発明は、内壁に適用する場合は後端部よりも前端部を内側に位置させ、外壁に適用する場合は後端部よりも前端部を外側に位置させることにより、ベース部材が先太りの形状に形成されていればよい。すなわち、後端部と前端部との間の内壁や外壁の形状（前後方向の断面形状）については自由に設定できる。このため、例えば、前後方向の断面が放物線などの曲線となるように内壁や外壁を設けてもよい。また、前後方向の断面が階段型や折れ線型となるように内壁や外壁を設けてもよい。
【００３８】
また、上記実施形態では、遊技機としてスロットマシンに本発明を適用する例で説明をしたが、例えば、パチンコ機など、スロットマシン以外の遊技機に対して本発明を適用してもよい。
【符号の説明】
【００３９】
１０  スロットマシン（遊技機）
１２  前面扉
２４  スタートレバー
２６ａ〜２６ｃ  ストップボタン
３０  電飾ユニット
３２  電飾装置
３２ａ  前カバー
３２ｂ  後カバー（ホルダ）
３４  ベース部材
３４ａ  上ベース（外側部材）
３４ｂ  下ベース（中心側部材）
３６  化粧パネル
３８  フレーム
４０  ベース本体
４２  拡張部
４４  ランプ
４６  スピーカ
５０  内壁
【図１】
2017225568.tif 000003
【図２】
2017225568.tif 000004
【図３】
2017225568.tif 000005
【図４】
2017225568.tif 000006
【図５】
2017225568.tif 000007
【図６】
2017225568.tif 000008